(57)【要約】【課題】股下域における体液吸収部に折り込み部を有する使い捨てのパンツ型着用物品において、着用者の脚の動きが妨げられたり、体液が漏れたりすることがないように改良を施す。【解決手段】使い捨てのパンツ型着用物品１が体液吸収部３を有する。着用物品１の股下域８において、体液吸収部３の両側縁部分２６それぞれに折り込み部５０が形成され、折り込み部５０よりも前方に位置する非折り込み部３ａの広がりが小さく、折り込み部５０よりも後方に位置する非折り込み部３ｂの広がりが大きく形成される。【選択図】      図４
2004313601.tif 000002
【特許請求の範囲】
【請求項１】
前胴周り域と後胴周り域と股下域とを有し、前記股下域には前記前後胴周り域方向へ長く延びる体液吸収部が形成されており、前記体液吸収部は前記前後胴周り域方向へほぼ平行して延びる両側縁部を有していて前記前胴周り域と後胴周り域とに位置する部分の内面どうしが対向してほぼＵ字状を呈するように長く延びる方向へ折曲されており、前記股下域における前記体液吸収部が、前記股下域の幅方向に延びる横断線の中点および前記中点から両側へ等距離にある前記横断線上の二点のいずれかから前記横断線に対して交角αを成して前記前胴周り域寄りにおける前記体液吸収部の前記両側縁部分それぞれに向かって延びる一対の第１折曲線と、前記横断線に対して交角βを成して前記後胴周り域寄りにおける前記体液吸収部の前記両側縁部分それぞれに向かって延びる一対の第２折曲線とを有し、前記股下域における前記体液吸収部はさらに、前記両側縁部のそれぞれにおける前記第１折曲線と前記第２折曲線との間に位置する部位が前記体液吸収部の内側へ向かうように折曲されて成る折り込み部と、一対の前記第１折曲線よりも前記前胴周り域寄りに位置する第１非折り込み部と、一対の前記第２折曲線よりも前記後胴周り域寄りに位置する第２非折り込み部とを有している使い捨てのパンツ型着用物品であって、
前記体液吸収部は、前記第１非折り込み部の広がりが小さく形成され、前記第２非折り込み部の広がりが大きく形成されていることを特徴とする前記パンツ型着用物品。
【請求項２】
前記横断線が前記着用物品の上下方向における前記股下域の最下端部に位置し、前記交角αが前記交角βよりも大きい請求項１記載のパンツ型着用物品。
【請求項３】
前記横断線が前記着用物品の上下方向における前記股下域の最下端部から前記前胴周り域寄りに偏倚しており、前記交角αが前記交角βと等しいか前記交角βよりも大きい請求項１記載のパンツ型着用物品。
【請求項４】
前記交角αが３５〜６０度、前記交角βが１０〜３０度の範囲にある請求項２または３記載のパンツ型着用物品。
【請求項５】
前記横断線が前記股下域の最下端部から前記前胴周り域寄りに１０〜５０ｍｍ偏倚している請求項３または４記載のパンツ型着用物品。
【発明の詳細な説明】
【０００１】
【発明の属する技術分野】
この発明は、使い捨ておむつやトレーニングパンツ、失禁者用パンツ等として使用するのに好適な使い捨てのパンツ型着用物品に関する。
【０００２】
【従来の技術】
使い捨ておむつ等の使い捨て着用物品において、矩形の体液吸収性パネルが使用され、そのパネルの股下域両側部それぞれにパネルの内側へ向かっての折り込み部が形成されているものは公知である。
【０００３】
たとえば、実開昭４７−３６７３４号公報（特許文献１）に記載のおむつは、矩形を成すパネル状のおむつ本体片が股下域に折り込み部を有し、その折り込み部は本体片の長さ方向を二等分する中心線に関して対称となるように、換言するとおむつの前後方向で対称となるように形成されている。
【０００４】
特開昭５０−３３０４４号公報（特許文献２）に記載のおむつも折り込み部を有し、その折り込み部は矩形を成す体液吸収性のパネル状材料を中央横断線と、中央横断線の中点から放射状に延びる線とに沿って折曲することにより形成され、折り込み部において向かい合うおむつの内面どうしが部分的に固定されている。このおむつの折り込み部も、中央横断線に関して対称、すなわちおむつの前後方向で対称となるように形成されている。
【０００５】
特開２００３−１０２４４号公報（特許文献３）に記載のパンツ型の着用物品は、使い捨てのパンツ型おむつ等として使用されるものであって、矩形を呈する体液吸収性パネルがＵ字状に曲げられて股下域を中心に前後胴周り域にまで延びている。このパネルは股下域に折り込み部を有し、その折り込み部は、パンツ型の着用物品の最下端部におけるパネル横断線と、その横断線の中点からパネルの両側縁部にまで延びる放射状の線とにおいてパネルを折曲することにより形成されている。この着用物品の折り込み部も前記横断線に関して対称、すなわち着用物品の前後方向において対称となるように形成されている。
【０００６】
特許文献１，２，３いずれの着用物品においても、パネルの股下域に形成された折り込み部はパネルの幅を部分的に狭くするように作用すると同時に、排泄物を保持するポケットとして機能する。
【０００７】
【特許文献１】
実開昭４７−３６７３４号公報
【特許文献２】
特開昭５０−３３０４４号公報
【特許文献３】
特開２００３−１０２４４号公報
【０００８】
【発明が解決しようとする課題】
特許文献１，２，３のいずれにおいても、体液吸収性のパネルに形成された折り込み部がおむつの前後方向で対称を成しており、その折り込み部が形成された後の体液吸収性パネルも実質的に前後方向で対称を成している。これらのパネルは、折り込み部よりも後方の部分でおむつ着用者の背側を覆い、折り込み部よりも前方の部分で着用者の腹側を覆うものであるが、背側において臀部を広く覆うことができるようにパネルの幅が広く作られていると、腹側ではその幅の広いパネルによって着用者の脚の自由な動きが妨げられる。一方、脚の動きの妨げにならないようにパネルの幅が狭く作られていると、臀部の近傍におけるパネルの体液吸収能力に不足が生じて体液が漏れ易くなるということがある。
【０００９】
この発明は、体液吸収部が股下域に折り込み部を有する使い捨てのパンツ型着用物品を対象として、その物品着用者の脚の動きを妨げることがなく、しかも体液漏れを生じることがないように、前記折り込み部に対しての改良を施すことを課題にしている。
【００１０】
【課題を解決するための手段】
前記課題解決のために、この発明が対象とするのは、次の使い捨てのパンツ型着用物品である。すなわち、前胴周り域と後胴周り域と股下域とを有し、前記股下域には前記前後胴周り域方向へ長く延びる体液吸収部が形成されており、前記体液吸収部は前記前後胴周り域方向へほぼ平行して延びる両側縁部を有していて前記前胴周り域と後胴周り域とに位置する部分の内面どうしが対向してほぼＵ字状を呈するように長く延びる方向へ折曲され、前記股下域における前記体液吸収部が、前記股下域の幅方向に延びる横断線の中点および前記中点から両側へ等距離にある前記横断線上の二点のいずれかから前記横断線に対して交角αを成して前記前胴周り域寄りにおける前記体液吸収部の前記両側縁部分それぞれに向かって延びる一対の第１折曲線と、前記横断線に対して交角βを成して前記後胴周り域寄りにおける前記体液吸収部の前記両側縁部分それぞれに向かって延びる一対の第２折曲線とを有し、前記股下域における前記体液吸収部はさらに、前記両側縁部のそれぞれにおける前記第１折曲線と前記第２折曲線との間に位置する部位が前記体液吸収部の内側へ向かうように折曲されて成る折り込み部と、一対の前記第１折曲線よりも前記前胴周り域寄りに位置する第１非折り込み部と、一対の前記第２折曲線よりも前記後胴周り域寄りに位置する第２非折り込み部とを有している使い捨てのパンツ型着用物品、である。
【００１１】
かかるパンツ型着用物品において、この発明が特徴とするところは、前記体液吸収部が前記第１非折り込み部の広がりを小さく形成され、前記第２非折り込み部の広がりを大きく形成されていること、にある。
【００１２】
この発明には、次のような実施態様がある。
（１）前記横断線が前記着用物品の上下方向における前記股下域の最下端部に位置し、前記交角αが前記交角βよりも大きい。
（２）前記横断線が前記着用物品の上下方向における前記股下域の最下端部から前記前胴周り域寄りに偏倚しており、前記交角αが前記交角βと等しいか前記交角βよりも大きい。
（３）前記交角αが３５〜６０度、前記交角βが１０〜３０度の範囲にある。
（４）前記横断線が前記股下域の最下端部から前記前胴周り域寄りに１０〜５０ｍｍ偏倚している。
【００１３】
【発明の実施の形態】
この発明に係る使い捨てのパンツ型着用物品としてパンツ型おむつを例にとり、添付の図面を参照してこの発明の詳細を説明すると、以下のとおりである。
【００１４】
図１，２，３は、使い捨てのパンツ型おむつ１の斜視図と、図１のおむつ１を部分的に破断して示す図と、図１のＩＩＩ−ＩＩＩ線切断面を示す図である。ＩＩＩ−ＩＩＩ線切断面は、図１におけるおむつ１を前胴周り域６と後胴周り域７とに二分する面であって、この面にはおむつ１の最下端部５１の内部構造が現れる。おむつ１は、互いに直交する高さ方向と、幅方向と、前後方向とを有するもので、高さ方向は図１の上下方向であり、前後方向は図１の矢印Ｐ，Ｑで示される方向であり、幅方向は図１のＩＩＩ−ＩＩＩ線に沿う方向、すなわち図３の左右方向である。かかるおむつ１は、パンツ型を呈する被覆部２と、体液を吸収保持するための体液吸収部３とからなる。被覆部２は、おむつ着用者の肌と向かい合う内面２ａと、着衣と向かい合う外面２ｂとを有し、その着用者の前後胴周り部と股部とを覆う前胴周り域６と後胴周り域７と股下域８とからなる。前後胴周り域６，７は、おむつ１の両側部で合掌状に重なり合い、上下方向へ間欠的に並ぶ部位４で互いに接合され、これら両域６，７によって胴周り開口９が画成され、これら両域６，７と股下域８とによって一対の脚周り開口１１が画成されている。胴周り開口９と脚周り開口１１の縁部それぞれには、複数条の弾性部材１２，１３が伸長状態で取り付けられている。体液吸収部３は、被覆部２の内面２ａの側に位置し、内面どうしが対向してほぼＵ字状を呈するように股下域８を中心に前胴周り域６と後胴周り域７とに向かって長く延びている。吸収部３はまた、おむつ１の最下端部５１の近傍に折り込み部５０を有し、その折り込み部５０では、おむつ１の幅を二等分して高さ方向へ延びる縦中心線Ａ−Ａ（図４を併せて参照）に向かって、すなわちおむつ１の幅方向内側ヘ向かって体液吸収部３の両側縁部分２６が折曲されている。
【００１５】
図４，５は、図１のおむつ１を接合部位４において剥離し、前後胴周り域６，７をおむつ１の前方向と後方向へ延びる矢印Ｐ，Ｑの方向へ伸展したものの部分破断平面図と、その平面図のＶ−Ｖ線切断面を示す図である。伸展した状態のおむつ１には、縦中心線Ａ−Ａに対してその中点Ｍで直交し、図の上下方向の長さを二等分しておむつ１の幅方向へ延びる横断線Ｂ−Ｂも示されている。図４のおむつ１は、縦中心線Ａ−Ａに関してほぼ対称であり、横断線Ｂ−Ｂに沿って内側へ折曲されると図１のおむつ１となり、そのおむつ１では横断線Ｂ−Ｂがおむつ１の最下端部５１に位置する（図３参照）。縦中心線Ａ−Ａの中点Ｍは、横断線Ｂ−Ｂの中点でもある。図４において股下域８の範囲を規定している上下一対の線Ｃ１−Ｃ１とＣ２−Ｃ２とは、図３のおむつ１では重なって１本となり、脚周り開口１１の頂縁部を通り横断線Ｂ−Ｂに平行している線Ｃ−Ｃとなる。
【００１６】
被覆部２は、図４，５に示されるように、通気性不織布、より好ましくは疎水性の通気性不織布からなる砂時計型の内部シート１６と、不透液性プラスチックフィルム、より好ましくは通気不透液性プラスチックフィルムからなり、吸収部３の平面形状とほぼ同じ大きさの矩形であるかまたはその平面形状よりも大きく、内部シート１６の外面側に位置する中間部シート１７と、通気性不織布からなり内部シート１６と同形同大で中間部シート１７の外面側に位置する外部シート１８とが積層され、これらシート１６，１７，１８が接着または溶着により互いに間欠的に接合することで形成されている。被覆部２は、内部シート１６と外部シート１８とが不織布であることによって、柔軟な肌触りを有する。内部シート１６と外部シート１８との間に位置する胴周りと脚周りの弾性部材１２，１３は、これらシート１６，１８の少なくとも一方に接着剤（図示せず）を介して接合している。
【００１７】
吸収部３は、芯材２１と被覆シート２２とからなり、図４において縦に長いほぼ矩形を呈し、縦中心線Ａ−Ａにほぼ平行して股下域８を中心に前後胴周り域６，７方向へ延びる一対の側縁部分２６と、横断線Ｂ−Ｂにほぼ平行しておむつ１の幅方向へ延びる前後一対の端縁部分２７とを有する（図２を併せて参照）。側縁部分２６が縦中心線Ａ−Ａにほぼ平行し、端縁部分２７が横断線Ｂ−Ｂにほぼ平行するとは、これら側縁部分２６や端縁部分２７が直線的に延びる場合と、僅かに湾曲するなどの非直線的に延びる場合、例えば側縁部分２６が股下域８において中心線Ａ−Ａに向かって凸となうように湾曲する場合とがあることを意味している。吸収部３の股下域部分は、被覆部２の股下域８に位置する部分であって、図４では一対の平行線Ｃ１−Ｃ１とＣ２−Ｃ２との間に位置する部分を意味し、図３では横断線Ｂ−Ｂと線Ｃ−Ｃとの間に位置する部分を意味している。芯材２１もまた全体的形状がほぼ矩形であって、おむつ着用者の肌側に位置する内面２３と、着衣側に位置する外面２４と、内外面２３，２４をつないで縦方向へ延びる両側面部分４０ａと、前後胴周り域６，７において幅方向へ延びる両端縁部分４０ｂとを有する。芯材２１はまた、縦中心線Ａ−Ａ上の中点Ｍから前胴周り域６寄りの両側縁部分２６のそれぞれにまでほぼＶ字形を画いて延びる一対の鎖線Ｓと、中点Ｍから後胴周り域７寄りの両側縁部分２６それぞれにまでほぼＶ字形を画いて延びる一対の鎖線Ｔと、中点Ｍから鎖線Ｓと鎖線Ｔとの間において前胴周り域６寄りの両側縁部分２６にまでほぼＶ字形を画いて延びる一対の鎖線Ｕとに沿って延びるように形成された溝２０ｓ，２０ｔ，２０ｕ（図５を併せて参照）を有し、これらの溝２０ｓ，２０ｔ，２０ｕによって芯材２１が芯材要素２１ａ，２１ｂ，２１ｃ，２１ｄ，２１ｅ，２１ｆに分けられている。横断線Ｂ−Ｂと鎖線Ｓとの交角はαであり、横断線Ｂ−Ｂと鎖線Ｔとの交角はβ１であり、横断線Ｂ−Ｂと鎖線Ｕとの交角はβ２である。好ましい交角αは３５〜６０度の範囲にあり、好ましい交角β１は１０〜３０度の範囲にある。交角β２は、図４に関連して後記するように、側縁部分２６のうちで溝２０ｓと２０ｔとの間に位置する部位を図２，３の如く吸収部３の内側へ向くように溝２０ｓと２０ｔとに沿って折曲したときに自動的に決まる角度である。おむつ１の股下域８では、吸収部３の幅が被覆部２の幅よりも狭く、被覆部２の側縁部分８ａが吸収部３の側縁部分２６の外側において脚周り開口１１を一周する脚周りフラップ１１ａを形成している。
【００１８】
各芯材要素２１ａ〜２１ｆは、粉砕パルプや高吸水性ポリマー粒子等の吸水性材料を適宜の力で圧縮することにより、また必要ならば圧縮したものをティシューペーパや親水化処理された熱可塑性合成繊維からなる不織布で覆うことにより形成される。各芯材要素２１ａ〜２１ｆの内面２３またはその内面２３を覆うティシューペーパ（図示せず）等は、被覆シート２２に接着しておくことができる。また、芯材要素２１ａ〜２１ｆの外面２４、またはその外面２４を覆うティシュペーパ等は、内部シート１６等に接着剤２９ａ（図５参照）によって接着しておくことができる。被覆シート２２は、芯材２１の幅方向において内面２３を覆い、側面部分４０ａを通って外面２４にまで延び、側面部分４０ａ近傍の外面２４を覆っている。外面２４の下方において、被覆シート２２の両側縁部位２２ａが芯材２１の幅方向外側へ向かって折り返され、その部位２２ａそれぞれが、内部シート１６の内面にホットメルト接着剤２９を介して接着している。被覆シート２２はまた、芯材２１の端縁部分４０ｂを越えて延びる部分がホットメルト接着剤（図示せず）を介してそれと重なり合うシート２２と内部シート１６とに接合している。かような被覆シート２２は、芯材２１の側面部分４０ａの近傍において、Ｚ字型または逆Ｚ字型に折り畳まれた状態にある（図４，５参照）。被覆シート２２には、透液性の不織布や開孔プラスチックフィルム、これら不織布とフィルムとからなる透液性の積層シート等が使用される。
【００１９】
吸収部３がこのように形成されている図４の状態のおむつ１は、吸収部３を内側にして横断線Ｂ−Ｂに沿って折り重ね、前後胴周り域６，７を接合域４で一体となるように接合して図１のおむつ１とするときに、縦中心線Ａ−Ａによって左右に二等分される吸収部３の両側それぞれにおける股下域部分が、図２，３に示されているように縦中心線Ａ−Ａに向かうように吸収部３の内側へ折曲される。より具体的にいえば、吸収部３は、芯材要素２１ｃと２１ｅの外面２４（図５参照）どうしが向かい合い、芯材要素２１ｄと２１ｆの外面２４どうしが向かい合うように内側へ折り込まれ、それと同時に、芯材要素２１ａの内面２３と芯材要素２１ｃ，２１ｄの内面２３とが向かい合い、芯材要素２１ｂの内面２３と芯材要素２１ｅ，２１ｆの内面２３（図４参照）とが向かい合うように第１，第２折曲線である一対の溝２０ｓと一対の溝２０ｔとに沿って折曲される。かくして吸収部３には一対の折り込み部５０が形成される。Ｕ字状を呈し、さらに溝２０ｓ，２０ｔに沿って折曲されている矩形の吸収部３は、吸収部３の内面どうしが重なる程度にまで平らに折り重ねられると、既に折り込まれている芯材要素２１ｃと２１ｅとが重なり合うように、また芯材要素２１ｄと２１ｆとが重なり合うように位置が決められている溝２０ｕに沿って折曲線を形成する。このように折曲される吸収部３は、溝２０ｓ，２０ｔ，２０ｕにおいて芯材２１が全く存在しないか、僅かに存在する程度の状態にあり、これら溝２０ｓ，２０ｔ，２０ｕではそれらの周辺域よりも剛性が低く、溝２０ｓ，２０ｔ，２０ｕを案内として図２の如く折曲することが容易である。
【００２０】
吸収部３は、折り込み部５０よりも前方に非折り込み部である腹側吸収域３ａを形成し、折り込み部５０よりも後方に非折り込み部である背側吸収域３ｂを形成している（図２，４参照）。吸収部３では、腹側吸収域３ａにおける股下域部分、すなわち図４において一対の溝２０ｓと線Ｃ１−Ｃ１との間に位置する部分３ｃがおむつ着用者の脚の前方への動き、例えば着用者が歩くときとか両脚を前に延ばして座るときとかの脚の動きの妨げとなることがないように、交角αを大きくして鎖線Ｓと鎖線Ｓとの間の開角γを小さくし、好ましくは開角γを６０〜１１０度の範囲におさめる。また、吸収部３では、背側吸収域３ｂにおける股下域部分、すなわち一対の溝２０ｔと線Ｃ２−Ｃ２との間に位置する部分３ｄがおむつ着用者の臀部を広く覆うことができるように、交角β１を小さくして鎖線Ｔと鎖線Ｔとの間の開角δを大きくし、好ましくは開角δを１２０〜１６０度の範囲におさめる。このようにして、おむつ１では、吸収部３が図４に示されるように矩形に形成されて、股下域８を中心に前後胴周り域６，７へ長く延びるのものであっても、腹側では着用者の脚の動きを妨げることがなく、背側では臀部近傍からの体液漏れを防ぐことができる。
【００２１】
図２，３から明らかなように、おむつ１の吸収部３には折り込み部５０の内側に内側ポケット３０ａが形成され、被覆部２の側縁部分８ａと吸収部３との間には外側ポケット３０ｂが形成されている。
【００２２】
この発明のおむつ１を乳幼児に着用させるときには、母親が胴周り開口９の縁部内側に手を入れてその開口９を大きく広げている間に乳幼児の脚を脚周り開口１１に通す。このおむつ１では、そのように開口９を広げるおむつ１の変形が、開口９から遠く離れた股下域８における被覆部２とは別体の吸収部３には及ばないし、脚周り開口１１を広げて股下域８の側縁部分８ａが動いても、吸収部３の側縁部分２６は側縁部分８ａに接合していないから、吸収部３は殆ど動くことがない。それゆえ、吸収部３の折り込み部５０は、その形状が崩れない。吸収部３は、それに含まれる芯材２１の鎖線Ｓ，Ｔ，Ｕに沿う部位を吸水性材料で満たしておき、その材料をエンボス加工用ロール等によって局部的に加圧または加熱加圧してそれらの部位を周辺域よりも高剛性にしておき、それらの部位に並行して折曲してもよい。また、吸収部３は、鎖線Ｕに沿う部位を吸収性材料で満たしておく一方、鎖線Ｓ，Ｔに沿う部位では吸収性材料を除いて溝２０ｓ、２０ｔを形成しておき、その後に折り込み部５０を形成することもできる。吸収部３は、稜線がシャープな折曲線を鎖線Ｓ，Ｔに沿って形成しているものであることが好ましいが、鎖線Ｕに沿う折曲線は、必ずしも稜線がシャープでなくてもよいからである。
【００２３】
図６は、この発明の実施態様の一例を示す図４と同様の図である。このおむつ１では、図４においておむつ１の長さを二等分している横断線Ｂ−Ｂよりも前胴周り域６寄りに距離Ｆだけ偏倚している第２の横断線Ｄ−Ｄを基準にして各一対の溝２０ｓ，２０ｔ，２０ｕが形成されている。その距離Ｆは、好ましくは１０〜５０ｍｍの範囲にある。横断線Ｄ−Ｄは、縦方向中心線Ａ−Ａ上の基点Ｎから各側縁部分２６へ向かって一直線状に延びており、その基点Ｎからはまた一対の鎖線Ｓが前胴周り域６方向へ延び、一対の鎖線Ｔが後胴周り域７方向へ延び、鎖線Ｓと鎖線Ｔとの間において鎖線Ｕが前胴周り域方向６へ延びている。それぞれの鎖線Ｓ，Ｔ，Ｕと横断線Ｄ−Ｄとの交角はα、β１、β２である。このようなおむつ１では、折り込み部５０が図４の例に比べて前胴周り域６寄りに形成されるので、横断線Ｄ−Ｄと鎖線Ｓとの交角αを横断線Ｄ−Ｄと鎖線Ｔとの交角β１と同じにするか、または交角β１よりも大きくすることができる。交角αと交角β１とが同じであっても、吸収部３はおむつ１を前後に二等分する横断線Ｂ−Ｂよりも前方で幅が狭くなるので、おむつ着用者の脚の前方へ向かっての動きを妨げることが少ない。したがって、交角αを交角βと等しくして、１０〜３０度にすることができる。但し、この実施態様においても、開角γが小さくなるように交角αを３５〜６０度にする一方、開角δが大きくなるように交角βを１０〜３０度にすると、おむつ１は脚の動きを妨げることが一層少なくなる。このおむつ１においても、吸収部３の股下域部分では、前方の非折り込み部分のうちで線Ｃ１−Ｃ１と一対の鎖線Ｓとの間に位置する部分３ｃの広がりが小さく、後方の非折り込み部分のうちで線Ｃ２−Ｃ２と一対の鎖線Ｔとの間に位置する部分３ｄの広がりが大きくなる。
【００２４】
図７は、この発明の実施態様の他の一例を示す図４と同様な図である。このおむつ１の吸収部３では、横断線Ｂ−Ｂの中点Ｍから左右方向へ等距離にある横断線Ｂ−Ｂ上の二点Ｇ，Ｈのそれぞれから鎖線Ｓ，Ｔ，Ｕと溝２０ｓ，２０ｔ，２０ｕとが側縁部分２６に向かって延びている。吸収部３は、溝２０ｓ，２０ｔ，２０ｕにおいて図４のおむつ１と同様に折曲されて折曲部５０を形成する。また、吸収部３では、横断線Ｂ−Ｂ上における点Ｇと点Ｈとの間の部分Ｌが腹側吸収域３ａと背側吸収域３ｂとの境界線になっている。部分Ｌは、有効な折り込み部５０が形成されるように、おむつ１の大きさに応じて０ｍｍ以上の適宜の長さにすることができる。部分Ｌの長さが０ｍｍであるときには、二点Ｇ，Ｈが中点Ｍと一致して図４のおむつ１となる。
【００２５】
この発明は、図１〜７に例示のおむつ１の他に、被覆部２における股下域８の幅を図４に示された状態の吸収部３の幅と同じであるかまたは吸収部３の幅よりも小さくして実施することができる。この場合の吸収部３は、芯材２１の外面２４を不透液性シートで覆い、その不透液性シートを被覆部２に対して接合することができる。その接合では、吸収部３を被覆部２における前胴周り域６と後胴周り域７とに接合して股下域８には接合しないでおくことができる。そのように接合するときのおむつ１では、被覆部２を股下域８が切除されて前胴周り域６と後胴周り域７とのみを有するものに代えることができる。おむつ１を例にとって説明したこの発明は、トレーニングパンツ、失禁患者用パンツ、生理用パンツ等の着用物品において実施することができる。
【００２６】
【発明の効果】
この発明に係る使い捨てのパンツ型着用物品の体液吸収部は、それが股下域に折り込み部を有するものであっても、股下域において折り込み部よりも前方に位置する非折り込み部の広がりが小さく、また折り込み部よりも後方に位置する非折り込み部の広がりが大きいから、腹側においては物品着用者の脚の自由な動きを妨げることがなく、また背側においては体液の漏れがない。
【図面の簡単な説明】
【図１】パンツ型の使い捨ておむつの斜視図。
【図２】図１のおむつを部分的に破断したときの概略図。
【図３】図１のＩＩＩ−ＩＩＩ線断面図。
【図４】図１のおむつを伸展した図面。
【図５】図４のＶ−Ｖ線切断面を示す図。
【図６】実施態様の一例を示す図４と同様な図。
【図７】実施態様の他の一例を示す図４と同様な図。
【符号の説明】
１      パンツ型着用物品（パンツ型おむつ）
３      体液吸収部
３ａ      非折り込み部（腹側吸収域）
３ｂ      非折り込み部（背側吸収域）
６      前胴周り域
７      後胴周り域
８      股下域
２０ｒ      第１折曲線
２０ｓ      第２折曲線
２０ｔ      第３折曲線
２６      側縁部分
５０      折り込み部
５１      最下端部
Ｍ      中点
Ｂ−Ｂ    横断線
【図１】
2004313601.tif 000003
【図２】
2004313601.tif 000004
【図３】
2004313601.tif 000005
【図４】
2004313601.tif 000006
【図５】
2004313601.tif 000007
【図６】
2004313601.tif 000008
【図７】
2004313601.tif 000009